(57)【要約】【課題】映像データの先頭の取込ミスに拘らず、表示映像が乱れた状態が継続しない。【解決手段】ゲートウエイと、ＩＰ網を介してゲートウエイに接続されるＩＰテレビ電話端末と、交換網を介してゲートウエイに接続される交換網用テレビ電話端末とを含む。ゲートウエイは、ＩＰテレビ電話端末と交換網用テレビ電話端末とが通話する呼要求に応じてＩＰテレビ電話端末へ接続先が交換網用テレビ電話端末であることを示す接続先情報メッセージを送出する接続先情報通知手段１４と、交換網用テレビ電話端末へ画像制御情報を送信する交換網側画像制御情報送信手段１５とを具備し、ＩＰテレビ電話端末は、接続先情報メッセージに応じて対向する交換網用テレビ電話端末４０への画像制御要求をゲートウエイへ送信する画像制御要求手段を具備している。【選択図】図４
2008042767.tif 000002
【特許請求の範囲】
【請求項１】
ＩＰ網及び回線交換網に接続されたゲートウエイと、前記ＩＰ網を介して前記ゲートウエイに接続されるＩＰテレビ電話端末と、前記交換網を介して前記ゲートウエイに接続される交換網用テレビ電話端末とを含んで構成されるテレビ電話システムにおいて、
前記ゲートウエイは、前記ＩＰテレビ電話端末と前記交換網用テレビ電話端末とが通話する呼要求に応じて前記ＩＰテレビ電話端末へ接続先が交換網用テレビ電話端末であることを示す接続先情報メッセージを送出する接続先情報通知手段と、ＩＰテレビ電話端末からの要求に応じて交換網用テレビ電話端末へ画像制御情報を送信する交換網側画像制御情報送信手段とを具備し、
前記ＩＰテレビ電話端末は、前記接続先情報メッセージに応じて対向する交換網用テレビ電話端末への画像制御要求を前記ゲートウエイへ送信する画像制御要求手段を具備していることを特徴とするテレビ電話システム。
【請求項２】
前記画像制御要求手段は、接続先情報メッセージに応じてＩフレーム送信の画像制御要求を前記ゲートウエイへ送信することを特徴とする請求項１に記載のテレビ電話システム。
【請求項３】
前記交換網用テレビ電話端末は、ＩＰテレビ電話端末への画像制御要求を前記ゲートウエイへ送信する画像制御要求手段を具備し、前記ゲートウエイとの間で送受信能力の決定が完了する前に映像・音声データが到来した場合に、Ｉフレーム送信の画像制御要求を前記ゲートウエイへ送信する一方、
前記ゲートウエイは、前記交換網用テレビ電話端末からの要求に応じてＩＰテレビ電話端末へ画像制御情報を送信するＩＰ網側画像制御情報送信手段とを具備していることを特徴とする請求項１または２に記載のテレビ電話システム。
【請求項４】
ＩＰ網及び回線交換網に接続されたゲートウエイと、前記ＩＰ網を介して前記ゲートウエイに接続されるＩＰテレビ電話端末と、前記交換網を介して前記ゲートウエイに接続される交換網用テレビ電話端末とを含んで構成されるテレビ電話システムの前記ゲートウエイであって、
前記ＩＰテレビ電話端末と前記交換網用テレビ電話端末とが通話する呼要求に応じて前記ＩＰテレビ電話端末へ接続先が交換網用テレビ電話端末であることを示す接続先情報メッセージを送出する接続先情報通知手段と、
ＩＰテレビ電話端末からの要求に応じて交換網用テレビ電話端末へ画像制御情報を送信する交換網側画像制御情報送信手段とを具備していることを特徴とするゲートウエイ。
【請求項５】
ＩＰ網及び回線交換網に接続された請求項４に記載のゲートウエイと、前記ＩＰ網を介して前記ゲートウエイに接続されるＩＰテレビ電話端末と、前記交換網を介して前記ゲートウエイに接続される交換網用テレビ電話端末とを含んで構成されるテレビ電話システムの前記ＩＰテレビ電話端末であって、
前記ＩＰテレビ電話端末は、前記接続先情報メッセージに応じて対向する交換網用テレビ電話端末への画像制御要求を前記ゲートウエイへ送信する画像制御要求手段を具備していることを特徴とするＩＰテレビ電話端末。
【発明の詳細な説明】
【技術分野】
【０００１】
この発明は、ゲートウエイとＩＰテレビ電話端末と交換網用テレビ電話端末とがＩＰ網及び回線交換網に接続されたテレビ電話システム、このテレビ電話システムに用いられるゲートウエイ及びＩＰテレビ電話端末に関するものである。
【背景技術】
【０００２】
近年、ＩＰ電話が普及してきておりＩＰ網を介したＩＰテレビ電話サービスが検討されている。一方、テレビ電話としては、従来、回線交換網を介したサービスが行われており、ＩＰテレビ電話サービスを行う場合には回線交換網側との融合が問題となる。
【０００３】
上記に対し、ＳＩＰ、Ｈ３２３、ＭＥＧＡＣＯという標準の呼制御プロトコルを使用することにより異なるメーカの端末間でも通信できる互換性を確保し、さらに独自の呼制御方式を使用することにより独自の機能を実現するＩＰ端末装置が特許文献１に示されている。
【特許文献１】特開２００４−３２８１９５号公報
【０００４】
しかしながら、呼制御に例えばＳＩＰを採用したＩＰテレビ電話端末と、呼制御に例えば３Ｇ−３２４Ｍを採用した既存テレビ電話端末では、それぞれのプロトコルの違いによりテレビ電話を行うために必要な映像・音声コーデック等の端末能力情報を相手端末とネゴシエーションにより決定するタイミングが異なるが、これについて整合性を保ちつつ呼接続を成立するようにする呼接続完了時に、映像・音声データの送信開始、受信開始のタイミングにずれが生じる。このため、ＩＰテレビ電話端末または既存電話端末のいずれかにおいて、相手端末から送信されてくる映像データの先頭について取込ミスが生じてしまう。既存テレビ電話ではＩフレームの送信間隔が規定されておらず、被写体の動きが小さいことが多いので、先頭のＩフレームデータについて取込ミスした端末では、長時間Ｉフレームが送信されない場合に表示映像が乱れた状態が継続してしまう問題がある。
【発明の開示】
【発明が解決しようとする課題】
【０００５】
発明が解決しようとする課題は、呼制御プロトコルの違いにより、呼接続完了時に映像・音声データの送信開始、受信開始のタイミングにずれが生じ、相手端末から送信されてくる映像データの先頭について取込ミスが生じ、表示映像が乱れた状態が継続してしまうことであり、本発明の目的は、呼制御プロトコルの違いにより相手端末から送信されてくる映像データの先頭について取込ミスが生じるにも拘らず、表示映像が乱れた状態が継続しないように構成したテレビ電話システムを提供することであり、さらに、このテレビ電話システムに用いられるゲートウエイ及びＩＰテレビ電話端末を提供することを目的とする。
【課題を解決するための手段】
【０００６】
本発明に係るテレビ電話システムは、ＩＰ網及び回線交換網に接続されたゲートウエイと、前記ＩＰ網を介して前記ゲートウエイに接続されるＩＰテレビ電話端末と、前記交換網を介して前記ゲートウエイに接続される交換網用テレビ電話端末とを含んで構成されるテレビ電話システムにおいて、前記ゲートウエイは、前記ＩＰテレビ電話端末と前記交換網用テレビ電話端末とが通話する呼要求に応じて前記ＩＰテレビ電話端末へ接続先が交換網用テレビ電話端末であることを示す接続先情報メッセージを送出する接続先情報通知手段と、ＩＰテレビ電話端末からの要求に応じて交換網用テレビ電話端末へ画像制御情報を送信する交換網側画像制御情報送信手段とを具備し、前記ＩＰテレビ電話端末は、前記接続先情報メッセージに応じて対向する交換網用テレビ電話端末への画像制御要求を前記ゲートウエイへ送信する画像制御要求手段を具備していることを特徴とする。
【０００７】
本発明に係るゲートウエイは、ＩＰ網及び回線交換網に接続されたゲートウエイと、前記ＩＰ網を介して前記ゲートウエイに接続されるＩＰテレビ電話端末と、前記交換網を介して前記ゲートウエイに接続される交換網用テレビ電話端末とを含んで構成されるテレビ電話システムの前記ゲートウエイであって、前記ＩＰテレビ電話端末と前記交換網用テレビ電話端末とが通話する呼要求に応じて前記ＩＰテレビ電話端末へ接続先が交換網用テレビ電話端末であることを示す接続先情報メッセージを送出する接続先情報通知手段と、ＩＰテレビ電話端末からの要求に応じて交換網用テレビ電話端末へ画像制御情報を送信する交換網側画像制御情報送信手段とを具備していることを特徴とする。
【０００８】
本発明に係るＩＰテレビ電話端末は、ＩＰ網及び回線交換網に接続された請求項４に記載のゲートウエイと、前記ＩＰ網を介して前記ゲートウエイに接続されるＩＰテレビ電話端末と、前記交換網を介して前記ゲートウエイに接続される交換網用テレビ電話端末とを含んで構成されるテレビ電話システムの前記ＩＰテレビ電話端末であって、前記ＩＰテレビ電話端末は、前記接続先情報メッセージに応じて対向する交換網用テレビ電話端末への画像制御要求を前記ゲートウエイへ送信する画像制御要求手段を具備していることを特徴とする。
【発明の効果】
【０００９】
本発明に係るテレビ電話システムでは、ゲートウエイは、ＩＰテレビ電話端末と交換網用テレビ電話端末とが通話する呼要求に応じてＩＰテレビ電話端末へ接続先が交換網用テレビ電話端末であることを示す接続先情報メッセージを送出し、ＩＰテレビ電話端末は、この接続先情報メッセージに応じて対向する交換網用テレビ電話端末への画像制御要求をゲートウエイへ送信し、これをゲートウエイが受けてＩＰテレビ電話端末からの要求に応じて交換網用テレビ電話端末へ画像制御情報を送信するので、プロトコルの違いにより相手端末から送信されてくる映像データの先頭について取込ミスが生じるにも拘らず、交換網用テレビ電話端末へ画像制御情報が送られ、これに応じて交換網用テレビ電話端末からＩフレームを送らせることが可能となり、映像の乱れの継続を停止させることが可能となる。
【００１０】
本発明に係るゲートウエイは、ＩＰテレビ電話端末と交換網用テレビ電話端末とが通話する呼要求に応じてＩＰテレビ電話端末へ接続先が交換網用テレビ電話端末であることを示す接続先情報メッセージを送出し、ＩＰテレビ電話端末からの要求に応じて交換網用テレビ電話端末へ画像制御情報を送信するので、プロトコルの違いにより相手端末から送信されてくる映像データの先頭について取込ミスが生じる場合に、交換網用テレビ電話端末へ画像制御情報が送られることを保証し、これに応じて交換網用テレビ電話端末からＩフレームを送らせることが可能となっており、ＩＰテレビ電話端末において映像の乱れの継続を停止させることが可能となる。
【００１１】
本発明に係るＩＰテレビ電話端末は、接続先情報メッセージに応じて対向する交換網用テレビ電話端末への画像制御要求をゲートウエイへ送信するので、請求項４に記載のゲートウエイがこの要求に応じて交換網用テレビ電話端末へ画像制御情報を送信することになり、交換網用テレビ電話端末へ画像制御情報が送られることを保証し、これに応じて交換網用テレビ電話端末からＩフレームを送らせることが可能となっており、ＩＰテレビ電話端末において映像の乱れの継続を停止させることが可能となる。
【発明を実施するための最良の形態】
【００１２】
以下添付図面を参照して本発明に係るテレビ電話システムと、これに用いられるゲートウエイ及びＩＰテレビ電話端末の実施例を説明する。各図において同一の構成要素には、同一の符号を付して重複する説明を省略する。図１に、本発明に係るテレビ電話システムの構成図を示す。ゲートウエイ１０は、ＩＰ網２１及び回線交換網２２に接続されている。ＩＰテレビ電話端末３０は、基地局ＡとＩＰ網２１を介してゲートウエイ１０に接続される。また、交換網用テレビ電話端末４０は、基地局Ｂと交換網２２を介して前記ゲートウエイに接続される。
【００１３】
上記において、ＩＰテレビ電話端末３０は、呼制御にＳＩＰ（Session Initiation Protocol）を用いるものであり、交換網用テレビ電話端末４０は、呼制御に３Ｇ−３２４Ｍ（第３世代移動通信で使用されるオーディオビジュアル通信の規格であり、映像圧縮方式にＭＰＥＧ４を、音声圧縮方式にＡＭＲを用いたもの）を用いるものである。ゲートウエイ１０は、ＩＰテレビ電話端末３０との呼制御にＳＩＰを用いるものであり、交換網用テレビ電話端末４０との呼制御に３Ｇ−３２４Ｍを用いるものである。
【００１４】
図２は、交換網用テレビ電話端末４０の構成を示すブロック図である。交換網用テレビ電話端末４０は、スピーカ等の音声出力部３１と、マイクロホン等の音声入力部３２とを有する。音声出力部３１と音声入力部３２は、音声信号を符号化し、また復号化音声データを復号化する音声コーデック３６に接続されている。
【００１５】
交換網用テレビ電話端末４０は、ＬＣＤやＣＲＴ等のモニタ３３と、カメラ３４とを備えており、カメラ３４により撮像された映像信号は信号変換部３５によって符号化用のディジタルデータに変換され、ビデオコーデック３７により復号化されたディジタルデータは信号変換部３５によりＮＴＳＣ等の所定方式の映像信号に変換される。ビデオコーデック３７は映像データを復号化し、また信号変換部３５から送られたディジタルデータを符号化する。
【００１６】
交換網用テレビ電話端末４０には、網インタフェース３９と、この網インタフェース３９に接続された多重／分離部３８とが備えられている。網インタフェース３９は、網（ＩＰ網２１や回線交換網２２）に接続されるインタフェースであり、網アクセス制御部４４が当該網インタフェース３９を介して網制御を行う。網インタフェース３９には、無線や有線の通信部が接続される。
【００１７】
多重／分離部３８は、網側から到来する多重化データを分離して、音声データを音声コーデック３６へ、映像データをビデオコーデック３７へ、さらに、呼制御情報を相互接続手順制御部４３へ送出する。また逆に、音声コーデック３６の出力とビデオコーデック３７の出力を多重化して網インタフェース３９を介して送出する。なお、多重／分離部３８と音声コーデック３６との間には、映像データと音声データの同期のため遅延回路が設けられるが、ここでは省略してある。
【００１８】
多重／分離部３８には、相互接続手順制御部４３が接続されており、相互接続手順制御部４３は、３Ｇ−３２４Ｍのプロトコルを使用して呼制御を行う。相互接続手順制御部４３、網アクセス制御部４４、ビデオコーデック３７には主制御部４１Ａが接続されており、主制御部４１Ａは、これら相互接続手順制御部４３、網アクセス制御部４４、ビデオコーデック３７の制御を行う。また、主制御部４１Ａには、オンフック及びオフフック更に電話番号の入力などを行うための操作部４２が接続されている。
【００１９】
主制御部４１Ａには、画像制御要求手段４Ａが備えられている。画像制御要求手段４Ａは、ＩＰテレビ電話端末３０への画像制御要求をゲートウエイ１０へ送信するものであり、ここでは、ゲートウエイ１０との間で送受信能力の決定が完了する前に映像・音声データが到来した場合に、Ｉフレーム送信の画像制御要求をゲートウエイ１０へ送信するように構成されている。
【００２０】
図３には、ＩＰテレビ電話端末３０の構成ブロック図が示されている。ＩＰテレビ電話端末３０の構成要素は、交換網用テレビ電話端末４０と多くの部分で機能的には同一であり、交換網用テレビ電話端末４０の網アクセス制御部４４と多重／分離部３８に代えてプロトコル処理・パケット処理部４６が備えていると考えることができる。プロトコル処理・パケット処理部４６はＵＤＰプロトコル処理やＩＰプロトコル処理またヘッダの付加・削除等の処理を行うもので、音声コーデック３６とビデオコーデック３７と相互接続手順制御部４８から送られたデータはＩＰ網２１へ送信可能に加工し、ＩＰ網２１から送られたパケットについてＵＤＰプロトコル処理やＩＰプロトコル処理またヘッダの削除等を行い、対応するデータを音声コーデック３６とビデオコーデック３７と相互接続手順制御部４８の所要のものへ送信する。相互接続手順制御部４８は、ＳＩＰのプロトコルを使用して呼制御を行う。
【００２１】
主制御部４１Ｂには、画像制御要求手段４Ｂが備えられている。画像制御要求手段４Ｂは、ゲートウエイ１０から送られる接続先情報メッセージに応じて対向する交換網用テレビ電話端末４０への画像制御要求をゲートウエイ１０へ送信するものである。
【００２２】
図４に、ゲートウエイ１０の要部構成を示す。ゲートウエイ１０は、ＩＰ網対応部１１と回線交換網対応部１２と制御部１３とを有している。ＩＰ網対応部１１は、ＳＩＰのプロトコルを使用して呼制御を行うものであり、回線交換網対応部１２は、３Ｇ−３２４Ｍのプロトコルを使用して呼制御を行うものである。
【００２３】
制御部１３には、接続先情報通知手段１４と、交換網側画像制御情報送信手段１５と、ＩＰ網側画像制御情報送信手段１６とが備えられている。接続先情報通知手段１４は、ＩＰテレビ電話端末３０と交換網用テレビ電話端末４０とが通話する呼要求に応じてＩＰテレビ電話端末３０へ接続先が交換網用テレビ電話端末４０であることを示す接続先情報メッセージを送出するものである。交換網側画像制御情報送信手段１５は、ＩＰテレビ電話端末３０からの要求に応じて交換網用テレビ電話端末４０へ画像制御情報を送信するものである。ここでは、画像制御情報として、Ｉフレーム送信の画像制御情報を送信する。
【００２４】
ＩＰ網側画像制御情報送信手段１６は、交換網用テレビ電話端末４０からの要求に応じてＩＰテレビ電話端末３０へ画像制御情報を送信するものである。図４に示される通り、ＩＰ網対応部１１と回線交換網対応部１２との間には、ＩＰ網対応部１１から回線交換網対応部１２へ映像・音声データを通過させる経路１７と、回線交換網対応部１２からＩＰ網対応部１１へ映像・音声データを通過させる経路１８とが備えられている。
【００２５】
以上の通りに構成されたテレビ電話システムにおける動作をシーケンス図を用いて説明する。各シーケンス図において、ＩＰテレビ電話端末３０とゲートウエイ１０の間のメッセージはＳＩＰメッセージを示し、表記はメソッドまたはステータスコードを表している。ＳＤＰという表示のあるメッセージは端末能力情報を含むことを意味する。一方、交換網用テレビ電話端末４０とゲートウエイ１０との間のメッセージは、Ｈ．２４５メッセージであり、メッセージの略称は図５に示す通りである。また、各シーケンス図において、破線で示した矢印はベアラ接続のためのＡＴコマンドを表している。また、図においてはスペースの関係上、ＩＰテレビ電話端末３０をＳＩＰ端末と表記し、交換網用テレビ電話端末４０を３２４Ｍ端末と表記していることもある。
【００２６】
ＩＰテレビ電話端末３０と交換網用電話端末４０との間で呼確立へ到る呼制御メッセージ送受信のシーケンスとしてはいくつかのパターンが考えられるが、ＩＰテレビ電話端末３０から発呼する例を図６及び図７に示す。図６の先頭部分に示されるようにＳＩＰプロトコルにより端末能力情報を含む接続要求メッセージＩＮＶＩＴＥ（ＳＤＰ）がＩＰテレビ電話端末３０からゲートウエイ１０へ送出される（図６のＳ１１）と、それより先にＩＰテレビ電話端末３０から相手先の電話番号を受け取っていることにより、回線交換網対応部１２を稼働させたゲートウエイ１０の制御部１３では、接続先情報通知手段１４が、ＩＰテレビ電話端末３０と交換網用テレビ電話端末４０とが通話する呼要求に応じてＩＰテレビ電話端末３０へ接続先が交換網用テレビ電話端末４０であることを示す接続先情報メッセージであるＩＮＶＩＴＥ応答（１００Trying）をＩＰ網対応部１１から送出する（Ｓ１２）。ここで本実施例ではＩＮＶＩＴＥ応答（１００Trying）に接続先情報が含まれているが、接続先情報を通知するメッセージはＩＰテレビ電話端末３０が受信するＩＮＶＩＴＥに対する応答メッセージであればどのメッセージでも構わない。
【００２７】
ＩＮＶＩＴＥ応答（１００Trying）のメッセージヘッダは例えば図８に示す通りであり、最終ラインから上へ２行目には、３Ｇ−３２４Ｍのプロトコルを使用して呼制御を行う端末が接続先端末であることが示されている。本実施例ではＳＩＰメッセージのヘッダ部にて接続先端末の情報を追加しているが、ＳＩＰメッセージのボディ部において接続先端末情報を追加しても構わない。このＩＮＶＩＴＥ応答（１００Trying）メッセージがゲートウエイ１０から送信された以降、ＩＰテレビ電話端末３０と交換網用テレビ電話端末４０とは、それぞれゲートウエイ１０との間でＳＩＰプロトコルと３Ｇ−３２４Ｍのプロトコルを用いて呼制御手順が進行され、交換網用テレビ電話端末４０とゲートウエイ１０との間ででは、図７の右上部分に示されるように、送受信能力の決定が完了し、交換網用テレビ電話端末４０から映像・音声データの送信が開始される（Ｓ１３）。
【００２８】
しかしながら、ＩＰテレビ電話端末３０とゲートウエイ１０との間では、Ｓ１３により示される映像・音声データの送信開始と同時期には、送受信能力の決定が完了しておらず、最終的にＩＰテレビ電話端末３０からゲートウエイ１０へ確認応答ＡＣＫが返送されて呼制御手順が完了となる（Ｓ１４）。
【００２９】
このため、ＩＰテレビ電話端末３０とゲートウエイ１０との間における呼制御手順が完了した後に図５における経路１８を介して交換網用テレビ電話端末４０からＩＰテレビ電話端末３０へ到来する映像・音声データ（Ｓ１５）については、ＩＰテレビ電話端末３０において先頭部分の受信を行うことができない。
【００３０】
そこで、ＩＰテレビ電話端末３０の主制御部４１Ｂにおける画像制御要求手段４Ｂが接続先情報メッセージに応じて対向する交換網用テレビ電話端末４０に対しＩフレーム送信の画像制御要求を確認応答ＡＣＫに含めてゲートウエイ１０へ返送する（Ｓ１４）。図９にＡＣＫメッセージヘッダの一例を示す。ＡＣＫメッセージヘッダにおいては、最終ラインから２行目に、Ｉフレームの再送に係る画像制御要求が記載されている。本実施例ではＳＩＰメッセージのヘッダ部にて接続先端末の情報を追加しているが、ＳＩＰメッセージのボディ部において接続先端末情報を追加しても構わない。
【００３１】
上記Ｉフレーム送信の画像制御要求を含む確認応答ＡＣＫを受けて、ゲートウエイ１０の制御部１３は、Proxy-Require ヘッダフィールドを解釈し、交換網用テレビ電話端末４０に対してvideo Fast Update Picture のＭＣ（Miscellaneous Command ）を送信してＩフレーム再送を要求する（Ｓ１６：交換網側画像制御情報送信手段１５）。これを受けた交換網用テレビ電話端末４０の主制御部４１Ａはビデオコーデック３７を制御してＩフレームの作成がなされ、交換網用テレビ電話端末４０からはＩフレームの送信がなされる（Ｓ１７）。なお、本実施例ではProxy-Requireヘッダフィールドに接続先端末情報が含まれているが、他のヘッダフィールドにて接続先端末情報を追加しても構わない。
【００３２】
なお、この図６、図７に示すプロトコルの進行は、ある状態において図示の通りになることを示しており、ＩＰテレビ電話端末３０とゲートウエイ１０との間のプロトコルの進行と、交換網用テレビ電話端末４０とゲートウエイ１０との間のプロトコルの進行とが同期していることを示すものではない。
【００３３】
図６及び図７はＩＰテレビ電話端末３０から発呼する例を示すものであったが、図１０及び図１１に交換網用テレビ電話端末４０から発呼する例を示す。交換網用テレビ電話端末４０から発呼により、ゲートウエイ１０は被呼側がＩＰテレビ電話端末３０であり発呼側が交換網用テレビ電話端末４０であることを検出して、ＳＩＰプロトコルを開始する最初のＩＮＶＩＴＥメッセージのSupported ヘッダフィールドを用いて接続先が交換網用テレビ電話端末であることを示すことが可能である。なお、本実施例ではSupportedヘッダフィールドに接続先端末情報が含まれているが、他のヘッダフィールドにて接続先端末情報を追加しても構わない。
【００３４】
そこで、ゲートウエイ１０の接続先情報通知手段１４がＩＰテレビ電話端末３０と交換網用テレビ電話端末４０とが通話する呼要求に応じてＩＰテレビ電話端末３０へ接続先が交換網用テレビ電話端末４０であることを示す接続先情報メッセージであるＩＮＶＩＴＥをＩＰ網対応部１１側から送出する（Ｓ２１）。図１２に、上記で用いるＩＮＶＩＴＥメッセージのヘッダ例を示す。同図の最終ラインから上へ４行目には、３Ｇ−３２４Ｍのプロトコルを使用して呼制御を行う端末が接続先端末であることが示されている。
【００３５】
このＩＮＶＩＴＥメッセージがゲートウエイ１０から送信された以降、ＩＰテレビ電話端末３０と交換網用テレビ電話端末４０とは、それぞれゲートウエイ１０との間でＳＩＰプロトコルと３Ｇ−３２４Ｍのプロトコルを用いて呼制御手順が進行され、交換網用テレビ電話端末４０とゲートウエイ１０との間ででは、図１１の右上部分に示されるように、送受信能力の決定が完了し、交換網用テレビ電話端末４０から映像・音声データの送信が開始される（Ｓ２２）。
【００３６】
しかしながら、ＩＰテレビ電話端末３０とゲートウエイ１０との間では、Ｓ２２により示される映像・音声データの送信開始と同時期には、送受信能力の決定が完了しておらず、最終的にＩＰテレビ電話端末３０におけるオフフックに応じてＩＰテレビ電話端末３０からゲートウエイ１０へＩＮＶＩＴＥ応答（200 ＯＫ）メッセージが送出されて呼制御手順が完了となる（Ｓ２３）。
【００３７】
このため、ＩＰテレビ電話端末３０とゲートウエイ１０との間における呼制御手順が完了した後に図５における経路１８を介して交換網用テレビ電話端末４０からＩＰテレビ電話端末３０へ到来する映像・音声データ（Ｓ２４）については、ＩＰテレビ電話端末３０において先頭部分の受信を行うことができない。
【００３８】
そこで、ＩＰテレビ電話端末３０の主制御部４１Ｂにおける画像制御要求手段４Ｂが接続先情報メッセージに応じて対向する交換網用テレビ電話端末４０に対しＩフレーム送信の画像制御要求をＩＮＶＩＴＥ応答（200 ＯＫ）に含めてゲートウエイ１０へ返送する（Ｓ２３）。図１３にＩＮＶＩＴＥ応答（200 ＯＫ）メッセージヘッダの一例を示す。ＩＮＶＩＴＥ応答（200 ＯＫ）メッセージヘッダにおいては、最終ラインから２行目に、Ｉフレームの再送に係る画像制御要求が記載されている。
【００３９】
上記Ｉフレーム送信の画像制御要求を含むＩＮＶＩＴＥ応答（200 ＯＫ）メッセージを受けて、ゲートウエイ１０の制御部１３は、Proxy-Require ヘッダを解釈し、交換網用テレビ電話端末４０に対してvideo Fast Update Picture のＭＣ（Miscellaneous Command ）を送信してＩフレーム再送を要求する（Ｓ２５：交換網側画像制御情報送信手段１５）。これを受けた交換網用テレビ電話端末４０の主制御部４１Ａはビデオコーデック３７を制御してＩフレームの作成がなされ、交換網用テレビ電話端末４０からはＩフレームの送信がなされる（Ｓ２６）。なお、本実施例ではProxy-Requireヘッダフィールドに接続先端末情報が含まれているが、他のヘッダフィールドにて接続先端末情報を追加しても構わない。
【００４０】
なお、この図１０、図１１に示すプロトコルの進行についても、ある状態において図示の通りになることを示したものであり、ＩＰテレビ電話端末３０とゲートウエイ１０との間のプロトコルの進行と、交換網用テレビ電話端末４０とゲートウエイ１０との間のプロトコルの進行とが同期していることを示すものではない。このため、ＩＰテレビ電話端末３０とゲートウエイ１０との間のプロトコルの進行、交換網用テレビ電話端末４０とゲートウエイ１０との間のプロトコルの進行が、図１４、図１５の如くになる場合がある。
【００４１】
図１４において用いられているメッセージは、図１０、図１１のものと同一であり、図１５の左上部に示されているように、ＩＰテレビ電話端末３０におけるオフフックに応じてＩＰテレビ電話端末３０からゲートウエイ１０へＩＮＶＩＴＥ応答（200 ＯＫ）メッセージが送出され（Ｓ３１）、これに対しゲートウエイ１０から確認応答ＡＣＫが返送されて呼制御手順が完了となる（Ｓ３２）。これにより、ＩＰテレビ電話端末３０から映像・音声データの送信が開始される（Ｓ３３）。
【００４２】
しかしながら、交換網用テレビ電話端末４０とゲートウエイ１０との間では、Ｓ３３により示される映像・音声データの送信開始と同時期には、送受信能力の決定が完了しておらず、その後に送受信能力の決定が完了し、最終的に交換網用テレビ電話端末４０からゲートウエイ１０へ確認応答ＡＣＫが送出されて呼制御手順が完了となる（Ｓ３５）。
【００４３】
このため、交換網用テレビ電話端末４０とゲートウエイ１０との間における呼制御手順が完了した後に図５における経路１７を介してＩＰテレビ電話端末３０から交換網用テレビ電話端末４０へ到来する映像・音声データ（Ｓ３４）については、交換網用テレビ電話端末４０において先頭部分の受信を行うことができない。
【００４４】
そこで、交換網用テレビ電話端末４０の主制御部４１Ａにおける画像制御要求手段４Ａが送受信能力の決定が未完了の時点で映像・音声データが到来したことに応じて対向するＩＰテレビ電話端末３０に対するＩフレーム送信の画像制御要求を行うため、video Fast Update Picture のＭＣ（Miscellaneous Command ）をゲートウエイ１０へ送信してＩフレーム再送を要求する（Ｓ３６）。
【００４５】
上記Ｉフレーム送信の画像制御要求を含むＭＣを受けて、ゲートウエイ１０の制御部１３は、ＩＰテレビ電話端末３０に対してＩＮＦＯメッセージを送信してＩフレーム再送を要求する（Ｓ３７：ＩＰ網側画像制御情報送信手段１６）。図１６にＩＮＦＯメッセージの一例を示す。同図の最終ラインには、Ｉフレーム送信の画像制御要求に係るメッセージが付加されている。これを受けたＩＰテレビ電話端末３０の主制御部４１Ｂはビデオコーデック３７を制御してＩフレームの作成がなされ、ＩＰテレビ電話端末３０からはＩフレームの送信がなされる（Ｓ３８）。なお、本実施例ではＩＮＦＯメッセージによりＩフレーム再送を要求しているが、ＵＰＤＡＴＥ、ＩＮＶＩＴＥ（Ｒｅ−ＩＮＶＩＴＥ）など他のメソッドのメッセージを用いてＩフレーム再送を要求しても構わない。
【００４６】
以上により、呼制御プロトコルの違いにより相手端末から送信されてくる映像データの先頭について取込ミスが生じる場合にも、ＩＰテレビ電話端末と交換網用テレビ電話端末とではＩフレームを受信することができるようになり、表示開始後に映像が乱れる時間を短縮することができる。
【００４７】
上記においては、ＩＰテレビ電話端末３０と交換網用テレビ電話端末４０の相互接続においてＩフレーム再送することを説明したが、ビデオコーデック３７に対して画質優先あるいは動き優先などの画質に関する制御を行うことができる。交換網用テレビ電話端末４０からＩＰテレビ電話端末３０へ制御を行う場合には、図１５のＳ３６、Ｓ３７に示した如く、交換網用テレビ電話端末４０からH.245 のvideo Temporal Spatial Trade OffのＭＣ（Miscellaneous Command）に画像制御情報をセットしてゲートウエイ１０へ送り、ゲートウエイ１０からＩＰテレビ電話端末３０に対しては、画像制御情報をセットしたＩＮＦＯメッセージを送信することにより実現できる。また、ＩＰテレビ電話端末３０から交換網用テレビ電話端末４０へ制御を行う場合には、ＩＰテレビ電話端末３０からゲートウエイ１０へ画像制御情報をセットしたＩＮＦＯメッセージを送信し、ゲートウエイ１０から交換網用テレビ電話端末４０へH.245 のvideo Temporal Spatial Trade OffのＭＣ（Miscellaneous Command）に画像制御情報をセットして送信することで可能となる。上記の画質優先あるいは動き優先などの画質に関する制御に関しては、ＩＰテレビ電話端末３０と交換網用テレビ電話端末４０に制御指示キーなどを備えさせ、ユーザがこのキーを操作することにより上記メッセージの送信がなされるように構成する。
【図面の簡単な説明】
【００４８】
【図１】本発明に係るテレビ電話システムに係る実施例の構成図。
【図２】本発明に係るテレビ電話システムを構成する交換網用テレビ電話端末の構成を示すブロック図。
【図３】本発明に係るテレビ電話システムを構成するＩＰテレビ電話端末の構成を示すブロック図。
【図４】本発明に係るテレビ電話システムに用いられるゲートウエイの要部構成を示すブロック図。
【図５】本発明に係るテレビ電話システムに用いられるＨ．２４５メッセージにおけるメッセージの略称とフルスペルとを示す図。
【図６】本発明に係るテレビ電話システムのＩＰテレビ電話端末と交換網用電話端末との間で行われる呼制御メッセージのシーケンスを示す図。
【図７】本発明に係るテレビ電話システムのＩＰテレビ電話端末と交換網用電話端末との間で行われる呼制御メッセージのシーケンスを示す図。
【図８】図７、図８における呼制御メッセージのシーケンスにて用いられるＩＮＶＩＴＥ応答（１００Trying）のメッセージヘッダの一例を示す図。
【図９】図７、図８における呼制御メッセージのシーケンスにて用いられるＡＣＫメッセージヘッダの一例を示す図。
【図１０】本発明に係るテレビ電話システムのＩＰテレビ電話端末と交換網用電話端末との間で行われる呼制御メッセージのシーケンスを示す図。
【図１１】本発明に係るテレビ電話システムのＩＰテレビ電話端末と交換網用電話端末との間で行われる呼制御メッセージのシーケンスを示す図。
【図１２】図１０、図１１における呼制御メッセージのシーケンスにて用いられるＩＮＶＩＴＥメッセージのヘッダの一例を示す図。
【図１３】図１０、図１１における呼制御メッセージのシーケンスにて用いられるＩＮＶＩＴＥ応答（200 ＯＫ）メッセージヘッダの一例を示す図。
【図１４】本発明に係るテレビ電話システムのＩＰテレビ電話端末と交換網用電話端末との間で行われる呼制御メッセージのシーケンスを示す図。
【図１５】本発明に係るテレビ電話システムのＩＰテレビ電話端末と交換網用電話端末との間で行われる呼制御メッセージのシーケンスを示す図。
【図１６】図１４、図１５における呼制御メッセージのシーケンスにて用いられるＩＮＦＯメッセージの一例を示す図。
【符号の説明】
【００４９】
４Ａ、４Ｂ  画像制御要求手段
１０  ゲートウエイ
１１  ＩＰ網対応部
１２  回線交換網対応部
１３  制御部
１４  接続先情報通知手段
１５  回線交換網側画像制御情報送信手段
１６  ＩＰ網側画像制御情報送信手段
２１  ＩＰ網
２２  回線交換網
３０  ＩＰテレビ電話端末
３１  音声出力部
３２  音声入力部
３３  モニタ
３４  カメラ
３５  信号変換部
３６  音声コーデック
３７  ビデオコーデック
３８  多重／分離部
３９、４７  網インタフェース
４０  回線交換網用テレビ電話端末
４１Ａ、４１Ａ  主制御部
４２  操作部
４３、４８  相互接続手順制御部
４４  網アクセス制御部
４６  プロトコル処理・パケット処理部
【図１】
2008042767.tif 000003
【図２】
2008042767.tif 000004
【図３】
2008042767.tif 000005
【図４】
2008042767.tif 000006
【図５】
2008042767.tif 000007
【図６】
2008042767.tif 000008
【図７】
2008042767.tif 000009
【図８】
2008042767.tif 000010
【図９】
2008042767.tif 000011
【図１０】
2008042767.tif 000012
【図１１】
2008042767.tif 000013
【図１２】
2008042767.tif 000014
【図１３】
2008042767.tif 000015
【図１４】
2008042767.tif 000016
【図１５】
2008042767.tif 000017
【図１６】
2008042767.tif 000018